(57)【要約】      （修正有）【課題】肝臓のエッジ位置の検出精度を向上させる。【解決手段】脂肪抑制パルスＦｎとナビゲータシーケンスＮＳｎとを交互に繰り返し、肝臓のエッジがトリガレベルＴＬに到達したときに、データ収集シーケンスＡＱを実行する。脂肪抑制パルスＦｎとナビゲータシーケンスＮＳｎとの間には待ち時間Ｗｎを設け、最初の待ち時間Ｗ１を、２番目以降の待ち時間Ｗｎ（ｎ≧２）よりも長くする。最初の待ち時間Ｗ１は例えば２００ｍｓとすることができ、２番目以降の待ち時間Ｗｎ（ｎ≧２）は例えば４０ｍｓとすることができる。【選択図】図８
2014045974.tif 000002
【特許請求の範囲】
【請求項１】
被検体の体動する部位を含む所定の領域からナビゲータ信号を収集するための第１のシーケンスを実行するスキャン手段を有し、前記ナビゲータ信号に基づいて前記体動する部位の位置を検出する磁気共鳴装置であって、
前記スキャン手段は、
前記ナビゲータ信号における脂肪の信号成分を抑制するための脂肪抑制パルスを送信する、磁気共鳴装置。
【請求項２】
前記スキャン手段は、
前記脂肪抑制パルスと前記第１のシーケンスとを含む第１のスキャンを実行する、請求項１に記載の磁気共鳴装置。
【請求項３】
前記第１のスキャンでは、前記脂肪抑制パルスと前記第１のシーケンスとが交互に繰り返される、請求項２に記載の磁気共鳴装置。
【請求項４】
前記第１のスキャンでは、
ｍ番目の脂肪抑制パルスとｍ番目の第１のシーケンスとの間に、待ち時間が設けられている、請求項３に記載の磁気共鳴装置。
【請求項５】
前記第１のスキャンでは、
１番目の脂肪抑制パルスと１番目の第１のシーケンスとの間の待ち時間が、ｍ（≧２）番目の脂肪抑制パルスとｍ（≧２）番目の第１のシーケンスとの間の待ち時間よりも長い、請求項４に記載の磁気共鳴装置。
【請求項６】
前記スキャン手段は、
前記被検体の体動する部位を含む撮影領域からイメージングデータを収集するための第２のシーケンスを実行する、請求項１に記載の磁気共鳴装置。
【請求項７】
前記スキャン手段は、
前記脂肪抑制パルスと、前記第１のシーケンスと、前記第２のシーケンスとを含む第２のスキャンを実行する、請求項６に記載の磁気共鳴装置。
【請求項８】
前記第２のスキャンでは、前記脂肪抑制パルスと前記第１のシーケンスとが交互に繰り返された後に、前記第２のシーケンスが実行される、請求項７に記載の磁気共鳴装置。
【請求項９】
前記第２のスキャンでは、前記脂肪抑制パルス、前記第１のシーケンス、および前記第２のシーケンスの組合せが繰り返し実行される、請求項７に記載の磁気共鳴装置。
【請求項１０】
前記第２のスキャンでは、
ｎ番目の脂肪抑制パルスとｎ番目の第１のシーケンスとの間に、待ち時間が設けられている、請求項８又は９に記載の磁気共鳴装置。
【請求項１１】
前記第２のスキャンでは、
１番目の脂肪抑制パルスと１番目の第１のシーケンスとの間の待ち時間が、ｎ（≧２）番目の脂肪抑制パルスとｎ（≧２）番目の第１のシーケンスとの間の待ち時間よりも長い、請求項１０に記載の磁気共鳴装置。
【請求項１２】
前記撮影領域を静磁場中心に位置決めし、前記第２のスキャンを実行する、請求項６〜１１のうちのいずれか一項に記載の磁気共鳴装置。
【請求項１３】
前記所定の領域は、肺と肝臓との境界部分を横切っており、
前記ナビゲータ信号は、肝臓のエッジの位置を検出するために収集される、請求項１〜１２のうちのいずれか一項に記載の磁気共鳴装置。
【発明の詳細な説明】
【技術分野】
【０００１】
本発明は、ナビゲータ信号を収集する磁気共鳴装置に関する。
【背景技術】
【０００２】
従来より、被検体の呼吸信号を取得する方法として、肝臓と肺との境界を横切る領域からナビゲータエコーを収集する方法が知られている（特許文献１参照）。
【先行技術文献】
【特許文献】
【０００３】
【特許文献１】特開２００６−１４９５５９号公報
【発明の概要】
【発明が解決しようとする課題】
【０００４】
腎臓を撮影する場合、腎臓を静磁場中心に位置決めし撮影を行うので、肝臓と肺との境界部分が静磁場中心から離れる。したがって、ナビゲータエコーを収集するための励起パルスを送信すると、傾斜磁場の非線形性や静磁場不均一などの影響によって被検体の体表面の脂肪が励起されやすくなる。このため、体表面の脂肪信号によってナビゲータ信号が乱れてしまい、肝臓のエッジ位置の検出精度が悪くなることがある。
したがって、肝臓のエッジ位置の検出精度を向上させることが望まれている。
【課題を解決するための手段】
【０００５】
本発明の一態様は、被検体の体動する部位を含む所定の領域からナビゲータ信号を収集するための第１のシーケンスを実行するスキャン手段を有し、前記ナビゲータ信号に基づいて前記体動する部位の位置を検出する磁気共鳴装置であって、
前記スキャン手段は、
前記ナビゲータ信号における脂肪の信号成分を抑制するための脂肪抑制パルスを送信する、磁気共鳴装置である。
【発明の効果】
【０００６】
脂肪抑制パルスにより、ナビゲータ信号における脂肪の信号成分を抑制することができるので、体動する部位の位置の検出精度を向上させることができる。
【図面の簡単な説明】
【０００７】
【図１】本発明の第１の形態の磁気共鳴装置の概略図である。
【図２】第１の形態で実行されるスキャンを示す図である。
【図３】撮影領域を概略的に示す図である。
【図４】第１の形態において被検体を撮影するときのフローを示す図である。
【図５】プリスキャンＡの説明図である。
【図６】設定されたトリガレベルＴＬの一例を示す。
【図７】本スキャンＢの説明図である。
【図８】第２の形態において実行されるスキャンの説明図である。
【図９】シミュレーション条件の説明図である。
【図１０】脂肪の縦磁化の時間変化のシミュレーション結果を示すグラフである。
【図１１】エッジ位置の実測結果を示す図である。
【図１２】第３の形態において被検体を撮影するときのフローを示す図である。
【図１３】吐き終りの範囲ＡＷの一例を示す図である。
【図１４】本スキャンＢの説明図である。
【図１５】第４の形態において実行されるスキャンの説明図である。
【発明を実施するための形態】
【０００８】
以下、発明を実施するための形態について説明するが、本発明は、以下の形態に限定されることはない。
【０００９】
（１）第１の形態
図１は、本発明の第１の形態の磁気共鳴装置の概略図である。
磁気共鳴装置（以下、「ＭＲ装置」と呼ぶ。ＭＲ：Magnetic Resonance）１００は、マグネット２、テーブル３、受信コイル４などを有している。
【００１０】
マグネット２は、被検体１１が収容されるボア２１と、超伝導コイル２２と、勾配コイル２３と、ＲＦコイル２４とを有している。超伝導コイル２２は静磁場を印加し、勾配コイル２３は勾配磁場を印加し、ＲＦコイル２４はＲＦパルスを送信する。尚、超伝導コイル２２の代わりに、永久磁石を用いてもよい。
【００１１】
テーブル３は、クレードル３ａを有している。クレードル３ａは、ボア２１内に移動できるように構成されている。クレードル３ａによって、被検体１１はボア２１に搬送される。
【００１２】
受信コイル４は、被検体１１の腹部に取り付けられている。受信コイル４は、被検体１１からの磁気共鳴信号を受信する。
【００１３】
ＭＲ装置１００は、更に、送信器５、勾配磁場電源６、受信器７、制御部８、操作部９、および表示部１０などを有している。
【００１４】
送信器５はＲＦコイル２４に電流を供給し、勾配磁場電源６は勾配コイル２３に電流を供給する。尚、マグネット２、受信コイル４、送信器５、勾配磁場電源６を合わせたものが、スキャン手段に相当する。
【００１５】
受信器７は、受信コイル４から受け取った信号に対して所定の信号処理を実行する。
【００１６】
制御部８は、検出手段８１などを有している。検出手段８１は、信号強度データ（例えば、図５参照）を用いて、肝臓のエッジの位置を検出する。また、制御部８は、表示部１０に必要な情報を伝送したり、受信器７から受け取ったデータに基づいて画像を再構成するなど、ＭＲ装置１００の各種の動作を実現するように、ＭＲ装置１００の各部の動作を制御する。
【００１７】
操作部９は、オペレータにより操作され、種々の情報を制御部８に入力する。表示部１０は種々の情報を表示する。
ＭＲ装置１００は、上記のように構成されている。
【００１８】
図２は第１の形態で実行されるスキャンを示す図、図３は撮影領域を概略的に示す図である。
第１の形態では、プリスキャンＡと、本スキャンＢとが実行される。
【００１９】
プリスキャンＡは、肺と肝臓との境界部分を含むナビゲータ領域Ｒｎａｖから、肝臓のエッジの位置情報を含むナビゲータ信号を収集するためのスキャンである。
【００２０】
本スキャンＢは、腎臓を含む撮影領域Ｒの画像を再構成するときに使用されるイメージングデータを収集するためのスキャンである。
【００２１】
以下に、プリスキャンＡおよび本スキャンＢにより被検体を撮影するときのフローについて説明する。
【００２２】
図４は、第１の形態において被検体を撮影するときのフローを示す図である。
ステップＳＴ１では、プリスキャンＡを実行する。
【００２３】
図５は、プリスキャンＡの説明図である。
プリスキャンＡでは、ナビゲータ領域Ｒｎａｖからナビゲータ信号Ａｍ（ｍ＝１〜ａ）を収集するためのナビゲータシーケンスＮＳｍ（ｍ＝１〜ａ）が実行される。ナビゲータ信号Ａｍは一次元フーリエ変換（１Ｄ−ＦＴ）され、これにより、ナビゲータ領域Ｒｎａｖ内のＳＩ方向の信号強度の変化を表す信号強度データＤ１〜Ｄａが作成される。ナビゲータシーケンスＮＳｍは、肺側の信号強度が小さくなり、肝臓側の信号強度が大きくなるように設計されている。したがって、信号強度データＤ１〜Ｄａには、肺と肝臓との境界部分に、信号強度の段差が現れる。検出手段８１（図１参照）は、信号強度データＤ１〜Ｄａの各々の信号強度の段差を検出することにより、肝臓のエッジのＳＩ方向の位置Ｐ１〜Ｐａを検出する。したがって、肝臓のエッジ位置の時間変化を表すエッジ位置プロファイルを得ることができる。
【００２４】
ただし、傾斜磁場の非線形性や静磁場不均一などの影響によって、被検体の体表面の脂肪が励起されると、体表面の脂肪信号がナビゲータ信号に混入し、肝臓のエッジ位置の検出精度が悪くなることがある。
【００２５】
そこで、第１の形態では、ナビゲータシーケンスＮＳｍの前に、脂肪抑制パルスＦｍを送信している。脂肪抑制パルスＦｍは、被検体の脂肪信号を抑制するためのパルスである。したがって、脂肪抑制パルスＦｍにより、脂肪信号を抑制することができるので、ナビゲータ信号Ａｍに含まれる脂肪の信号成分を低減することができ、肝臓のエッジ位置の検出精度を向上させることができる。
プリスキャンＡを実行した後、ステップＳＴ２に進む。
【００２６】
ステップＳＴ２では、エッジ位置プロファイルに基づいて、トリガレベルＴＬを設定する。図６に、設定されたトリガレベルＴＬの一例を示す。トリガレベルＴＬは、本スキャンＢにおいてデータ収集シーケンスＡＱ（図８参照）を実行するときの肝臓のエッジの基準位置を表している。トリガレベルＴＬは、例えば、肝臓のエッジの位置の最大値と最小値の中間に設定することができる。トリガレベルＴＬが本スキャンＢを実行するときにどのように使用されるかについては、後述する。トリガレベルＴＬを設定した後、ステップＳＴ３に進む。
【００２７】
ステップＳＴ３では、本スキャンＢが実行される。
図７は、本スキャンＢの説明図である。
本スキャンＢでは、ナビゲータシーケンスＮＳｎ（ｎ＝１〜ｚ）が実行される。各ナビゲータシーケンスＮＳｎにより収集されたナビゲータ信号Ａｎに基づいてナビゲータ領域Ｒｎａｖの信号強度データＤｎが作成される。検出手段８１は、信号強度データＤｎの信号強度の段差を検出することにより、肝臓のエッジの位置Ｐｎを検出する。
【００２８】
本スキャンＢでも、プリスキャンＡと同様に、ナビゲータシーケンスＮＳｎの前に脂肪抑制パルスＦｎが送信される。したがって、ナビゲータ信号Ａｎに含まれる脂肪の信号成分が低減されるので、肝臓のエッジ位置の検出精度を向上させることができる。
【００２９】
そして、肝臓のエッジの位置ＰｎがトリガレベルＴＬの下側（Ｉ側）から上側（Ｓ側）に移動したときに、腎臓を含む撮影領域Ｒからデータを収集するためのデータ収集シーケンスＡＱが実行される。
【００３０】
データ収集シーケンスＡＱは、反転パルスＩＲ、脂肪抑制パルスＦ０、およびイメージングシーケンスＩＭを含んでいる。反転パルスＩＲは、撮影領域Ｒおよび領域Ｒｄ内を流れる静脈血などの縦磁化Ｍを反転させるためのパルスである。反転パルスＩＲによって縦磁化Ｍが反転した静脈血は、領域Ｒｄから撮影領域Ｒに流入する。また、反転パルスＩＲから待ち時間Ｗ０が経過した時点ｔ０で、イメージングシーケンスＩＭが実行される。イメージングシーケンスＩＭは、撮影領域Ｒの画像を再構成するときに使用されるイメージングデータを収集するためのシーケンスである。待ち時間Ｗ０は、静脈血の縦磁化ＭがＭ＝−１からＭ＝０に回復するまでの時間として設定されている。したがって、イメージングシーケンスＩＭの開始時点ｔ０では、領域Ｒｄから撮影領域Ｒに流入した静脈血の大部分の縦磁化Ｍはゼロ（又はゼロに十分に近い値）になる。一方、撮影領域Ｒに対してＳ側の領域Ｒｕから撮影領域Ｒに流入する動脈血は反転パルスＩＲの影響を受けないので、領域Ｒｕから撮影領域Ｒに流入した動脈血の大部分の縦磁化ＭはＭ＝１（又はＭ＝１に十分に近い値）である。したがって、動脈血の縦磁化と静脈血の縦磁化との差が十分に大きい間にイメージングシーケンスＩＭを実行することができるので、動脈血が強調され静脈血が抑制された血流画像を得ることができる。また、待ち時間Ｗ０の間に、脂肪抑制パルスＦ０が送信されるので、脂肪も抑制することができる。
【００３１】
データ収集シーケンスＡＱを実行した後、再び、脂肪抑制パルスＦｎとナビゲータシーケンスＮＳｎとを交互に繰り返す。そして、肝臓のエッジの位置がトリガレベルＴＬの下側（Ｉ側）から上側（Ｓ側）に移動したときに、データ収集シーケンスＡＱを実行する。
【００３２】
以下同様に、脂肪抑制パルスＦｎとナビゲータシーケンスＮＳｎとを交互に繰り返し、肝臓のエッジの位置がトリガレベルＴＬの下側（Ｉ側）から上側（Ｓ側）に移動したときに、データ収集シーケンスＡＱを実行する。そして、必要な全てのイメージングデータを収集したら本スキャンＢを終了し、フローを終了する。
【００３３】
第１の形態では、腎臓を撮影する場合について説明されている。腎臓を撮影する場合、腎臓が静磁場中心に位置決めされるので、肝臓と肺との境界部分は静磁場中心から離れてしまい、傾斜磁場の非線形性や静磁場不均一などの影響によって被検体の体表面の脂肪が励起されやすくなる。しかし、第１の形態では、ナビゲータシーケンスの前に脂肪抑制パルスを送信しているので、ナビゲータ信号に含まれる脂肪の信号成分を低減することができ、肝臓のエッジ位置の検出精度を向上させることができる。
【００３４】
また、第１の形態では、肝臓のエッジの位置がトリガレベルＴＬに到達したときにイメージングデータを取得するので、イメージングデータを取得するときの肝臓のエッジの位置のばらつきを小さくすることができる。したがって、ゴーストなどの体動アーチファクトを低減することができる。
【００３５】
尚、脂肪抑制パルスＦｎとしては、Adiabatic SPECIR（Spectral Inversion Recovery）パルスや、Chem SAT（Chemical Shift Saturation）パルス、STIR（Short ＴＩInversion Recovery）パルスなどを使用することができる。
【００３６】
（２）第２の形態
図８は、第２の形態において実行されるスキャンの説明図である。
第２の形態では、プリスキャンＡおよび本スキャンＢを実行する。
プリスキャンＡは第１の形態と同じであるので、プリスキャンＡの説明は省略する。
【００３７】
本スキャンＢは、第１の形態と同様に、脂肪抑制パルスＦｎとナビゲータシーケンスＮＳｎとが交互に繰り返され、肝臓のエッジの位置がトリガレベルＴＬの下側（Ｉ側）から上側（Ｓ側）に移動したときに、データ収集シーケンスＡＱｎが実行される。ただし、第２の形態では、脂肪抑制パルスＦｎとナビゲータシーケンスＮＳｎとの間に、待ち時間Ｗｎ（ｎ＝１〜ｚ）が設けられている。
【００３８】
このように待ち時間Ｗｎを設けることによって、ナビゲータ信号Ａｎに含まれる脂肪の信号成分を、更に低減することが可能となる。このことを検証するために、脂肪の縦磁化の時間変化を求めるためのシミュレーションを行った。以下に、シミュレーション結果について説明する。
【００３９】
図９は、シミュレーション条件の説明図である。
シミュレーション条件は以下の通りである。
（１）脂肪抑制パルスＦｎとナビゲータシーケンスＮＳｎとを交互に１０回繰り返し、１０回目のナビゲータシーケンスＮＡＶ１０を実行した後で、データ収集シーケンスＡＱを実行する。
（２）脂肪抑制パルスＦｎは、１８０°パルス
（３）熱平衡状態の縦磁化の大きさは１
【００４０】
上記のシミュレーション条件に従って、脂肪の縦磁化の時間変化を求めるためのシミュレーションを実行した。
【００４１】
図１０は、脂肪の縦磁化の時間変化のシミュレーション結果を示すグラフである。
図１０（ａ）〜（ｃ）のグラフの横軸は時間を表し、縦軸は脂肪の縦磁化を表している。グラフの中の記号「○」は、ナビゲータ信号の収集時点を表しており、記号「□」は、イメージングデータの収集時点を表している。
【００４２】
図１０（ａ）は、待ち時間Ｗ１〜Ｗ１０＝０ｍｓの場合のシミュレーション結果、図１０（ｂ）は、待ち時間Ｗ１〜Ｗ１０＝４０ｍｓの場合のシミュレーション結果、図１０（ｃ）は、待ち時間Ｗ１＝２００ｍｓ、待ち時間Ｗ２〜Ｗ１０＝４０ｍｓの場合のシミュレーション結果を示す。
【００４３】
図１０（ａ）のグラフでは、１番目のナビゲータ信号Ａ１は、脂肪の縦磁化が−０．８のときに収集されているが、５番目以降のナビゲータ信号Ａ５〜Ａ１０は、脂肪の縦磁化ＭがＭ＝−０．１に近い値のときに収集されている。したがって、５番目以降のナビゲータ信号Ａ５〜Ａ１０は、脂肪の信号成分が低減されていることがわかる。
【００４４】
図１０（ｂ）のグラフでは、５番目以降のナビゲータ信号Ａ５〜Ａ１０は、脂肪の縦磁化ＭがＭ＝０に近い値のときに収集されている。したがって、図１０（ａ）と図１０（ｂ）とを比較すると、待ち時間Ｗ１〜Ｗ１０を設けることによって、５番目以降のナビゲータ信号Ａ５〜Ａ１０の各々に含まれる脂肪の信号成分を、更に低減できることが分かる。
【００４５】
また、図１０（ｃ）のグラフでは、１番目〜１０番目のナビゲータ信号Ａ１〜Ａ１０は、脂肪の縦磁化ＭがＭ≒０のときに収集されている。したがって、最初の待ち時間Ｗ１を、２番目以降の待ち時間Ｗ２〜Ｗ１０よりも長くすることによって、１番目〜１０番目の全てのナビゲータ信号Ａ１〜Ａ１０の各々に含まれる脂肪の信号成分を、更に低減できることがわかる。
【００４６】
尚、図１０（ｂ）では、待ち時間Ｗ１〜Ｗ１０＝４０ｍｓである。しかし、脂肪の信号成分を低減することができるのであれば、待ち時間は４０ｍｓに限定されることはなく、４０ｍｓとは別の値でもよい。
【００４７】
また、図１０（ｃ）では、待ち時間Ｗ１＝２００ｍｓであり、待ち時間Ｗ２〜Ｗ１０＝４０ｍｓである。しかし、脂肪の信号成分を低減することができるのであれば、待ち時間は２００ｍｓ、４０ｍｓとは異なる値でもよい。
【００４８】
上記のように、待ち時間Ｗｎを設けることによりナビゲータ信号に含まれる脂肪の信号成分を低減することができるので、肝臓のエッジ検出の精度を向上させることができる。特に、最初の待ち時間を２番目以降の待ち時間よりも長くした場合、脂肪の縦磁化がゼロに近いときに１番目〜１０番目の全てのナビゲータ信号を収集することができるので、肝臓のエッジの検出精度を更に高めることができる。このことを検証するために、塩化ニッケルファントムとサラダ油ファントムとを並べてナビゲータ信号を収集し、塩化ニッケルファントムのエッジの位置を検出する実験を行った。以下に実験結果について示す。
【００４９】
図１１は、エッジ位置の実測結果を示す図である。
図１１（ａ）は、最初の待ち時間を２番目以降の待ち時間よりも長くしたときに得られた塩化ニッケルファントムのエッジ位置の実測結果である。尚、図１１（ｂ）には、比較のため、ナビゲータシーケンスの前に脂肪抑制パルスを送信しない場合に得られた塩化ニッケルファントムのエッジ位置の実測結果が示されている。
【００５０】
図１１（ｂ）では、ナビゲータ信号に混入した脂肪の信号成分によって、塩化ニッケルファントムのエッジ位置の検出精度が低下してしまい、塩化ニッケルファントムの実際のエッジ位置と、検出されたエッジ位置との間に、大きな位置ずれが生じている。
【００５１】
これに対し、図１１（ａ）では、ナビゲータ信号に含まれる脂肪の信号成分が十分に低減されているので、良好な検出精度が得られていることが分かる。
【００５２】
尚、第２の形態では、待ち時間は、本スキャンＢにおいて実行される脂肪抑制パルスとナビゲータシーケンスとの間に設けられている。しかし、待ち時間を、プレスキャンＡにおいて実行される脂肪抑制パルスとナビゲータシーケンスとの間に設けてもよい。プレスキャンＡにおいて実行されるｍ番目の脂肪抑制パルスとｍ番目のナビゲータシーケンスとの間に待ち時間を設けることにより、本スキャンＢの場合と同様に、ナビゲータ信号における脂肪の信号成分を低減することができる。特に、最初の待ち時間を２番目以降の待ち時間よりも長くすることにより、ナビゲータ信号に含まれる脂肪の信号成分を更に低減することができる。
【００５３】
（３）第３の形態
第１および第２の形態では、トリガリング法によりイメージングデータを収集する場合について説明したが、第３の形態では、ゲーティング法によりイメージングデータを収集する場合について説明する。
【００５４】
図１２は、第３の形態において被検体を撮影するときのフローを示す図である。
ステップＳＴ１では、プリスキャンＡが実行される。プリスキャンＡは、第１の形態と同じであるので詳しい説明は省略する。プリスキャンＡを実行することによって、肝臓のエッジ位置の時間変化を表すエッジ位置プロファイル（図５参照）を得ることができる。プリスキャンＡを実行した後、ステップＳＴ２に進む。
【００５５】
ステップＳＴ２では、エッジ位置プロファイルに基づいて、被検体１１の呼吸の吐き終わりの範囲ＡＷを求める。図１３に吐き終りの範囲ＡＷの一例を示す。呼吸の吐き終りの範囲ＡＷは、例えば、肝臓のエッジ位置の最大値から一定の範囲として求めることができる。呼吸の吐き終りの範囲ＡＷを求めた後、ステップＳＴ３に進む。
【００５６】
ステップＳＴ３では、本スキャンＢが実行される。
図１４は、本スキャンＢの説明図である。
本スキャンＢでは、脂肪抑制パルスＦｎ（ｎ＝１〜ｚ）、ナビゲータシーケンスＮＳｎ（ｎ＝１〜ｚ）、およびデータ収集シーケンスＡＱｎ（ｎ＝１〜ｚ）の組合せが繰り返し実行される。ナビゲータシーケンスＮＳｎは、ナビゲータ領域Ｒｎａｖからナビゲータ信号Ａｎを収集するためのシーケンスであり、データ収集シーケンスＡＱｎは、撮影領域Ｒのイメージングデータを収集するためのシーケンスである。また、脂肪抑制パルスＦｎは、ナビゲータ信号Ａｎにおける脂肪の信号成分を抑制するためのパルスである。
【００５７】
本スキャンＢでは、ナビゲータシーケンスＮＳｎにより検出された肝臓のエッジ位置が、呼吸の吐き終わりの範囲ＡＷに含まれている場合、その直後のデータ収集シーケンスＡＱｎで取得されたイメージングデータを、画像再構成のデータとして採用する。一方、ナビゲータシーケンスＮＳｎにより検出された肝臓のエッジ位置が、呼吸の吐き終わりの範囲ＡＷに含まれていない場合、その直後のデータ収集シーケンスＡＱｎで取得されたイメージングデータは、画像再構成のデータとしては採用されない。
【００５８】
例えば、図１４では、ナビゲータシーケンスＮＳ１により検出された肝臓のエッジ位置Ｐ１は、呼吸の吐き終わりの範囲ＡＷから外れているので、その直後のデータ収集シーケンスＡＱ１で取得されたイメージングデータＳ１は、画像再構成のデータとしては採用されず、破棄される。
【００５９】
一方、ナビゲータシーケンスＮＳ２により検出された肝臓のエッジ位置Ｐ２は、呼吸の吐き終わりの範囲ＡＷに含まれているので、その直後のデータ収集シーケンスＡＱ２で取得されたイメージングデータＳ２は、画像再構成のデータとして採用される。同様に、ナビゲータシーケンスＮＳ３により検出された肝臓のエッジ位置Ｐ３も、呼吸の吐き終わりの範囲ＡＷに含まれているので、その直後のデータ収集シーケンスＡＱ３で取得されたイメージングデータＳ３も、画像再構成のデータとして採用される。必要な全てのイメージングデータを収集したら、フローを終了する。
【００６０】
第３の形態では、本スキャンＢでは、ナビゲータシーケンスＮＳｎの前に脂肪抑制パルスＦｎが送信されている。したがって、ナビゲータ信号に含まれる脂肪の信号成分を低減することができるので、肝臓のエッジ位置の検出精度を向上させることができる。また、肝臓のエッジの位置の検出精度を向上させることができるので、本来は破棄すべきイメージングデータを「採用」と判断してしまう可能性や、逆に、本来は採用すべきイメージングデータを「破棄」と判断してしまう可能性を少なくすることができ、判断結果の信頼性を高めることができる。
【００６１】
尚、第３の形態では、ステップＳＴ２において、肝臓のエッジの位置が呼吸の吐き終りの範囲ＡＷに含まれている場合に、イメージングデータを画像再構成用のデータとして採用すると判断している。しかし、肝臓のエッジの位置が、呼吸の吸い終わりの範囲、息を吸っている途中の範囲、又は息を吐いている途中の範囲に含まれている場合に、イメージングデータを画像再構成用のデータとして採用すると判断してもよい。
【００６２】
（４）第４の形態
図１５は、第４の形態において実行されるスキャンの説明図である。
第４の形態では、プリスキャンＡおよび本スキャンＢを実行する。
プリスキャンＡは第３の形態と同じであるので、プリスキャンＡの説明は省略する。
【００６３】
本スキャンＢは、第３の形態と同様に、脂肪抑制パルスＦｎ、ナビゲータシーケンスＮＳｎ、およびデータ収集シーケンスＡＱｎの組合せが繰り返し実行される。ただし、第４の形態では、脂肪抑制パルスＦｎとナビゲータシーケンスＮＳｎとの間に、待ち時間Ｗｎが設けられている。
【００６４】
このように待ち時間Ｗｎを設けることによって、待ち時間Ｗｎの間に脂肪の縦磁化の緩和が進むので、ナビゲータ信号に含まれる脂肪の信号成分を、更に低減することが可能となる。
【００６５】
尚、スキャンＢを開始した直後は脂肪の縦磁化が大きいので、最初の待ち時間Ｗ１は、２回目以降の待ち時間Ｗ２〜Ｗｚよりも、長くすることが望ましい。最初の待ち時間Ｗ１を長くしておけば、最初の待ち時間Ｗ１の間に脂肪の縦磁化をゼロに十分に近づけることができるので、本スキャンＢで収集される全てのナビゲータ信号Ａ１〜Ａｚの各々に含まれる脂肪の信号成分を、更に低減することが可能となる。
【００６６】
第１〜第４の形態では、腎臓を撮影する場合について説明されているが、本発明は、腎臓を撮影する場合に限定されることはなく、腎臓以外の他の部位（例えば肝臓）を撮影する場合にも適用することができる。肝臓を撮影する場合でも、第１〜第４の形態と同様に、ナビゲータシーケンスの前に脂肪抑制パルスを送信することにより、ナビゲータ信号に含まれる脂肪の信号成分を低減することができるので、肝臓のエッジ位置の検出精度を向上させることができる。
【００６７】
また、第１〜第４の形態では、肺と肝臓との境界部分を含む領域をナビゲータ領域として設定している。しかし、被検体の呼吸情報を取得することができるのであれば、ナビゲータ領域は、肺と肝臓との境界部分を含んでいなくてもよい。
【符号の説明】
【００６８】
２  マグネット
３  テーブル
３ａ  クレードル
４  受信コイル
５  送信器
６  勾配磁場電源
７  受信器
８  制御部
９  操作部
１０  表示部
１１  被検者
２１  ボア
２２  超伝導コイル
２３  勾配コイル
２４  ＲＦコイル
１００  ＭＲ装置
【図１】
2014045974.tif 000003
【図２】
2014045974.tif 000004
【図３】
2014045974.tif 000005
【図４】
2014045974.tif 000006
【図５】
2014045974.tif 000007
【図６】
2014045974.tif 000008
【図７】
2014045974.tif 000009
【図８】
2014045974.tif 000010
【図９】
2014045974.tif 000011
【図１０】
2014045974.tif 000012
【図１１】
2014045974.tif 000013
【図１２】
2014045974.tif 000014
【図１３】
2014045974.tif 000015
【図１４】
2014045974.tif 000016
【図１５】
2014045974.tif 000017